(57)【要約】【課題】撮影レンズとは独立した光学系を有するファインダレンズに受光センサを設けた場合であっても、受光センサが検出した光量に応じてストロボの発光量を適正に制御する。【解決手段】被写体に向けて発光する発光手段（２）と、発光手段から発光されて被写体に当たって反射した光を受光する受光手段（３）と、受光手段により受光した光量が所定の調光量に達したことに基づいて発光手段による発光を停止させる制御を行う調光手段（４）と、を備え、撮影レンズ（５１）と、撮影レンズとは独立した光学系を有するファインダレンズ（５２）とを有し、ファインダレンズ内に受光手段が設けられたデジタルカメラ（１００）であって、撮影レンズの絞り値とファインダレンズの絞り値とに基づいて、調光量を決定する調光量決定手段（１）を備えた。【選択図】図１
2005114835.tif 000002
【特許請求の範囲】
【請求項１】
被写体に向けて発光する発光手段と、前記発光手段から発光されて被写体に当たって反射した光を受光する受光手段と、前記受光手段により受光した光量が所定の調光量に達したことに基づいて前記発光手段による発光を停止させる制御を行う調光手段と、を備え、撮影レンズと、該撮影レンズとは独立した光学系を有するファインダレンズとを有し、前記ファインダレンズ内に前記受光手段が設けられたデジタルカメラであって、
前記撮影レンズの絞り値と前記ファインダレンズの絞り値とに基づいて、前記調光量を決定する調光量決定手段を備えることを特徴とするデジタルカメラ。
【請求項２】
前記撮影レンズの絞り値と前記ファインダレンズの絞り値の組み合わせに対応する調光量を記憶する記憶手段を備え、
前記調光量決定手段は、設定された前記撮影レンズの絞り値と前記ファインダレンズの絞り値とに基づいて、前記記憶手段から該撮影レンズの絞り値とファインダレンズの絞り値の組み合わせに対応する調光量を抽出して決定することを特徴とする請求項１に記載のデジタルカメラ。
【請求項３】
前記調光量決定手段は、設定された前記撮影レンズの絞り値と前記ファインダレンズの絞り値とに基づいて、該撮影レンズの絞り値とファインダレンズの絞り値の組み合わせに対応する調光量を算出して決定することを特徴とする請求項１に記載のデジタルカメラ。
【発明の詳細な説明】
【技術分野】
【０００１】
本発明は、デジタルカメラに関する。
【背景技術】
【０００２】
従来、一眼レフのカメラの場合のように、撮影レンズに受光センサを内蔵してストロボの調光制御を行うものが知られている。そして、最近は、デジタルカメラが主流となってきており、同様の技術をデジタルカメラに適用することが試みられている。
しかし、デジタルカメラにおいては、スペースの都合上、撮影レンズに受光センサを設けることは困難であるため、ファインダレンズに受光センサを設ける技術が開発されている（例えば、特許文献１参照。）。
【特許文献１】特許２５４４４２７号公報
【発明の開示】
【発明が解決しようとする課題】
【０００３】
しかし、撮影レンズとは独立した光学系を有するファインダレンズに受光センサを設け、受光センサが検出した光量でストロボの発光量を制御すると、撮影レンズとファインダレンズのズーミング時における絞り値の変化の差が生じるために、ストロボの発光量を適正に制御することが困難であった。
【０００４】
そこで、本発明の課題は、撮影レンズとは独立した光学系を有するファインダレンズに受光センサを設けた場合であっても、受光センサが検出した光量に応じてストロボの発光量を適正に制御することができるデジタルカメラを提供することにある。
【課題を解決するための手段】
【０００５】
以上の課題を解決するため、請求項１に記載の発明は、被写体に向けて発光する発光手段と、前記発光手段から発光されて被写体に当たって反射した光を受光する受光手段と、前記受光手段により受光した光量が所定の調光量に達したことに基づいて前記発光手段による発光を停止させる制御を行う調光手段と、を備え、撮影レンズと、該撮影レンズとは独立した光学系を有するファインダレンズとを有し、前記ファインダレンズ内に前記受光手段が設けられたデジタルカメラであって、前記撮影レンズの絞り値と前記ファインダレンズの絞り値とに基づいて、前記調光量を決定する調光量決定手段を備えることを特徴とする。
【０００６】
請求項２に記載の発明は、請求項１に記載のデジタルカメラにおいて、前記撮影レンズの絞り値と前記ファインダレンズの絞り値の組み合わせに対応する調光量を記憶する記憶手段を備え、前記調光量決定手段は、設定された前記撮影レンズの絞り値と前記ファインダレンズの絞り値とに基づいて、前記記憶手段から該撮影レンズの絞り値とファインダレンズの絞り値の組み合わせに対応する調光量を抽出して決定することを特徴とする。
【０００７】
請求項３に記載の発明は、請求項１に記載のデジタルカメラにおいて、前記調光量決定手段は、設定された前記撮影レンズの絞り値と前記ファインダレンズの絞り値とに基づいて、該撮影レンズの絞り値とファインダレンズの絞り値の組み合わせに対応する調光量を算出して決定することを特徴とする。
【発明の効果】
【０００８】
請求項１に記載の発明によれば、調光量決定手段は、撮影レンズの絞り値とファインダレンズの絞り値とに基づいて、発光手段の発光量を制御するための調光量を決定するので、撮影レンズとファインダレンズのズーミング時における絞り値の変化の差を無くすことができる。よって、撮影レンズとは独立した光学系を有するファインダレンズに受光手段を設けた場合であっても、発光手段の発光量を適正に制御することができる。
【０００９】
請求項２に記載の発明によれば、記憶手段には、撮影レンズの絞り値とファインダレンズの絞り値の組み合わせに対応する調光量が記憶されているので、調光量決定手段は記憶手段にアクセスして各焦点距離における絞り値を設定するだけで調光量を決定することができるので、簡単な方法で発光手段の発光量を適正に制御することができる。
【００１０】
請求項３に記載の発明によれば、調光量決定手段が、設定された撮影レンズの絞り値とファインダレンズの絞り値とに基づいて、該撮影レンズの絞り値とファインダレンズの絞り値の組み合わせに対応する調光量を算出して決定する。よって、各レンズの絞り値を事前に設定しておくだけで、調光量を決定することができるので、簡単な方法で発光手段の発光量を適正に制御することができる。
【発明を実施するための最良の形態】
【００１１】
以下、図面を参照して、本発明に係るデジタルカメラの最良の形態について詳細に説明する。
図１に示すように、デジタルカメラ１００には、各部の操作制御を行う制御部１、制御部１から受信した制御信号に基づいて被写体に向けて発光する発光手段としてのストロボ部２、このストロボ部２から発光されて被写体に当たって反射した光を受光する受光手段としての受光部３、受光した光量が所定の調光量に達したことに基づいてストロボ部２による発光を停止させる制御を行う調光手段としての発光停止信号生成部４、被写体を撮影する撮影部５、撮影した画像を表示する表示部６、撮影レンズ５１の絞り値に対応するファインダレンズ５２の絞り値を記憶する記憶手段としての記憶部７等が備えられている。
また、デジタルカメラ１００には、撮影部５の撮影レンズ５１と独立した光学系を有するファインダレンズ５２が設けられている。撮影レンズ５１とファインダレンズ５２は、それぞれズーム光学系からなり、図示しない連動機構により、連動されるようになっている。例えば、デジタルカメラ１００に備えられているズームボタンを操作することにより広角撮影モードから望遠撮影モードに切り替え指示を行うと、撮影レンズ５１は広角撮影位置から望遠撮影位置へズーミングを行うとともに、図示しない連動機構等によりファインダレンズ５２も広角側から望遠側にズーミングが行われる。また、ズーミングに応じて開放絞り値が変化するが、撮影レンズ５１とファインダレンズ５２の変化量は、一致していない。また、広角撮影モード時に望遠撮影モードに切り替えると、撮影レンズ５１の開放絞り値がＦ２からＦ４に、ファインダレンズ５２の開放絞り値がＦ２．８からＦ８に変化する。なお、このファインダレンズ５２は、ユーザが被写体を撮影するときに、写真の構図を設定するときに覗くためのものであり、ファインダレンズ５２には、受光部３が内蔵されている。
【００１２】
制御部１には、各種の演算処理等を行うＣＰＵ１１、ＣＰＵ１１のワークエリア等として使用されるＲＡＭ１２、ＣＰＵ１１が各部を制御するのに必要なシステムプログラム等が記憶されたＲＯＭ１３等が設けられている。
ＣＰＵ１１は、ＲＯＭ１３内に格納されたプログラムを読み出してＲＡＭ１２内に展開し、当該プログラムに基づいて各部への指示やデータの送受信の制御を行う。
【００１３】
具体的に、ＣＰＵ１１は、設定された撮影レンズ５１の絞り値とファインダレンズ５２の絞り値とに基づいて、記憶部７から当該撮影レンズ５１の絞り値とファインダレンズ５２の絞り値の組み合わせに対応する調光量を抽出して決定する調光量決定手段として機能する。
また、ＣＰＵ１１は、設定された撮影レンズ５１の絞り値とファインダレンズ５２の絞り値とに基づいて、当該撮影レンズ５１の絞り値とファインダレンズ５２の絞り値の組み合わせに対応する調光量を算出して決定する調光量決定手段としても機能する。
【００１４】
ＲＯＭ１３には、ＣＰＵ１１が各種機能を実行するためのプログラムが格納されている。
具体的に、ＲＯＭ１３は、被写体に向けて発光するストロボ部２の発光制御を行う機能を実現させる発光制御プログラム１３ａを有する。
また、ＲＯＭ１３は、設定された撮影レンズ５１の絞り値とファインダレンズ５２の絞り値とに基づいて、記憶部７から当該撮影レンズ５１の絞り値とファインダレンズ５２の絞り値の組み合わせに対応する調光量を抽出して決定する機能を実現させる第１の調光量決定プログラム１３ｂを有する。
更に、ＲＯＭ１３は、設定された撮影レンズ５１の絞り値とファインダレンズ５２の絞り値とに基づいて、当該撮影レンズ５１の絞り値とファインダレンズ５２の絞り値の組み合わせに対応する調光量を算出して決定する機能を実現させる第２の調光量決定プログラム１３ｃを有する。
【００１５】
ストロボ部２は、被写体に発光タイミングや発光量が調節されたストロボ光を発光する。ストロボ部２は、ストロボ光を発光させるための電荷を蓄積するコンデンサと、コンデンサを充電する充電回路と、キセノン管等からなる発光部（何れも図示せず）とを備えている。ストロボ部２は、制御部１から供給される電源の電圧がコンバータ回路で高電圧に変換され、充電回路に電流が供給されて、コンデンサに発光エネルギーとなる電荷が蓄積される。
【００１６】
受光部３は、受光素子として、例えば、フォトダイオード（ＰＤ）３１と、フォトダイオード３１からの光電流を積分し、積分電圧を発生させる積分回路３２から構成されている。
【００１７】
発光停止信号生成部４は、主にコンパレータ等からなる比較回路からなり、受光部３からの積分電圧が可変電圧源で設定される基準電圧（所定の調光量）に達すると、コンパレータから発光停止信号を出力するようになっている。
【００１８】
撮影部５は、ガラス又はプラスチックからなる撮影レンズ５１と、ＣＣＤ（Charge Coupled Diode）やＣＭＯＳ（Complementary Metal Oxide Semiconductor）等の撮影素子とを備えて構成され、撮影レンズ５１を介して入力される画像を撮影素子で電気信号に変換し、画像データを生成する。生成された画像データは表示部６に表示される。
【００１９】
表示部６は、ＬＣＤ（Liquid Crystal Display）パネル等により構成され、制御部１から入力される表示データに基づいて画面表示を行う。また、表示部６は、撮影部５によってプレビュー撮影された画像や、ユーザの指示により撮影された画像等を表示する。
【００２０】
記憶部７には、撮影レンズ５１の絞り値とファインダレンズ５２の絞り値の組み合わせに対応する発光量と、撮影レンズ５１の絞り値とファインダレンズ５２の絞り値の組み合わせに対応する調光量である電圧値とが記憶されている。具体的には、図２に示すように、各レンズには、広角撮影モード時の絞り値や望遠撮影モード時の絞り値が設定されており、例えば、撮影レンズ５１の絞り値がＦ＝２、ファインダレンズ５２の絞り値がＦ＝２．８である場合に、調光量（基準電圧）が０．５Ｖであるとすると、撮影レンズ５１の絞り値がＦ＝４、ファインダレンズ５２の絞り値がＦ＝８である場合には、まず、撮像レンズ５１の絞り値が２倍になったことにより、発光量を２2＝４倍にする必要が生じる。しかし、ファインダレンズ５２の絞り値が２．８倍になったことにより、受光部３の受光量は１／（２．８）2＝１／８倍となる。したがって、ファインダレンズ５２の絞り値がＦ＝８である場合の受光量は、４×（１／８）＝１／２倍となるため、ファインダレンズ５２の絞り値がＦ＝２である場合と同じ調光量とするには、基準電圧を１Ｖに設定すればよい。
【００２１】
次に、ストロボ部２の発光制御について、図３のフローチャートを用いて説明する。
ユーザが被写体を撮影する際に、撮影モードを選択入力すると、ＣＰＵ１１は、広角撮影モードが選択された旨の信号を受信したか否かの判断を行う（ステップＳ１）。ここで、ＣＰＵ１１が、広角撮影モードが選択された旨の信号を受信したと判断した場合（ステップＳ１；ＹＥＳ）、ＣＰＵ１１は、記憶部７にアクセスして、広角撮影モードにおける発光量を抽出し、決定する（ステップＳ２）。次いで、ＣＰＵ１１は、第１の調光量決定プログラム１３ｂを実行することにより、広角撮影モードにおける調光量を抽出し、決定する（ステップＳ３）。次いで、発光停止信号生成部４は、決定された調光量（基準電圧）を可変電圧源にて設定する（ステップＳ４）。
【００２２】
次いで、ＣＰＵ１１は、発光制御プログラム１３ａを実行することにより、ストロボ部２を発光させる（ステップＳ５）。このとき、発光停止信号生成部４のコンパレータは、発光停止信号生成部４の比較回路が所定の調光量（基準電圧）に達するのを待つ。次いで、ＣＰＵ１１は、コンパレータの比較結果に基づき、ストロボ部２のコンデンサが所定の調光量に達したか否かを判断する（ステップＳ６）。ここで、ＣＰＵ１１が、ストロボ部２のコンデンサが所定の調光量に達したと判断した場合（ステップＳ６；ＹＥＳ）、発光停止信号生成部４は、生成された発光停止信号をストロボ部２に送信し、発光を停止させ（ステップＳ７）、これをもって、本処理を終了させる。一方、ＣＰＵ１１が、ストロボ部２のコンデンサが所定の調光量に達していないと判断した場合（ステップＳ６；ＮＯ）、再度、ステップＳ６に戻り、ストロボ部２のコンデンサが所定の調光量に達したと判断するまでステップＳ６の判断を繰り返す。
【００２３】
また、ステップＳ１において、ＣＰＵ１１が、広角撮影モードが選択された旨の信号を受信しなかったと判断した場合（ステップＳ１；ＮＯ）、ＣＰＵ１１は、望遠撮影モードが選択された旨の信号を受信したか否かの判断を行う（ステップＳ８）。ここで、ＣＰＵ１１が、望遠撮影モードが選択された旨の信号を受信したと判断した場合（ステップＳ８；ＹＥＳ）、ＣＰＵ１１は、記憶部７にアクセスして、望遠撮影モードにおける発光量を抽出し、決定する（ステップＳ９）。次いで、ＣＰＵ１１は、第１の調光量決定プログラム１３ｂを実行することにより、望遠撮影モードにおける調光量を抽出し、決定する（ステップＳ１０）。
【００２４】
次いで、ＣＰＵ１１は、ステップＳ４に処理を戻し、発光停止信号生成部４は、決定された調光量（基準電圧）を可変電圧源にて設定する（ステップＳ４）。
次いで、ＣＰＵ１１は、発光制御プログラム１３ａを実行することにより、ストロボ部２を発光させる（ステップＳ５）。このとき、発光停止信号生成部４のコンパレータは、発光停止信号生成部４の比較回路が所定の調光量（基準電圧）に達するのを待つ。次いで、ＣＰＵ１１は、コンパレータの比較結果に基づき、ストロボ部２のコンデンサが所定の調光量に達したか否かを判断する（ステップＳ６）。ここで、ＣＰＵ１１が、ストロボ部２のコンデンサが所定の調光量に達したと判断した場合（ステップＳ６；ＹＥＳ）、発光停止信号生成部４は、生成された発光停止信号をストロボ部２に送信し、発光を停止させ（ステップＳ７）、これをもって、本処理を終了させる。一方、ＣＰＵ１１が、ストロボ部２のコンデンサが所定の調光量に達していないと判断した場合（ステップＳ６；ＮＯ）、再度、ステップＳ６に戻り、ストロボ部２のコンデンサが所定の調光量に達したと判断するまでステップＳ６の判断を繰り返す。
【００２５】
また、ステップＳ８において、ＣＰＵ１１が、望遠撮影モードが選択された旨の信号を受信しなかったと判断した場合（ステップＳ８；ＮＯ）、ＣＰＵ１１は、本処理を終了させる。
【００２６】
本実施形態におけるデジタルカメラ１００によれば、ＣＰＵ１１が第１の調光量決定プログラム１３ｂを実行することにより、撮影レンズ５１の絞り値とファインダレンズ５２の絞り値とに基づいて、ストロボ部２の発光量を制御するための調光量を決定するので、撮影レンズ５１とファインダレンズ５２のズーミング時における絞り値の変化の差を無くすことができる。よって、撮影レンズ５１とは独立した光学系を有するファインダレンズ５２に受光部３を設けた場合に、ストロボ部２の発光量を適正に制御することができる。
【００２７】
また、記憶部７には、撮影レンズ５１の絞り値とファインダレンズ５２の絞り値の組み合わせに対応する調光量が記憶されているので、ＣＰＵ１１が第１の調光量決定プログラム１３ｂを実行することにより、記憶部７から各焦点距離における絞り値を設定するだけで調光量を決定することができるので、簡単な方法でストロボ部２の発光量を適正に制御することができる。
【００２８】
なお、本発明は、上記実施形態に限定されるものではなく、例えば、調光量決定処理において、ＣＰＵ１１が第１の調光量決定プログラム１３ｂに代えて第２の調光量決定プログラム１３ｃを実行することにより、最初にＣＰＵ１１が撮影レンズ５１の絞り値とファインダレンズ５２の絞り値とに基づいて、当該撮影レンズ５１の絞り値とファインダレンズ５２の絞り値の組み合わせに対応する調光量を算出させてもよい。この場合、算出された調光量に基づいて、ストロボ部２に送信する発光停止信号の送信のタイミングを調節することになる。これにより、各レンズの絞り値を事前に設定しておくだけで、調光量を決定することができるので、簡単な方法でストロボ部２の発光量を適正に制御することができる。また、本実施の形態のデジタルカメラ１００においては、第１の調光量決定プログラム１３ｂと第２の調光量決定プログラム１３ｃとを備えているが、いずれか一方のプログラムを備えていればよい。また、撮影レンズ５１やファインダレンズ５２等の光路中に絞り機構を設け、絞り値を任意に設定できるようにしても良い。更に、積分電圧の検知において、基準電圧に達したか否かを検知する検知手段が予めＣＰＵ１１内に有するものであっても良い。その他、本発明は、発明の要旨を逸脱しない範囲内で自由に変更、改良が可能である。
【図面の簡単な説明】
【００２９】
【図１】デジタルカメラの要部構成を示すブロック図である。
【図２】記憶部の内部構成を示す図である。
【図３】ストロボ部の発光量の決定処理を示すフローチャートである。
【符号の説明】
【００３０】
１      制御部（調光量決定手段）
２      ストロボ部（発光手段）
３      受光部（受光手段）
４      発光停止信号生成部（調光手段）
７      記憶部（記憶手段）
５１    撮影レンズ
５２    ファインダレンズ
１００  デジタルカメラ
【図１】
2005114835.tif 000003
【図２】
2005114835.tif 000004
【図３】
2005114835.tif 000005